(57)【要約】【課題】座や背もたれに流体バッグを内蔵させた場合に、熱が籠りやすく爽快な使用感が得られにくいという問題を解消する。【解決手段】着座面４ａ、５ａに作用する荷重を受け止めるシェルと、クッション機能を果たすべくこのシェルの表面に添設された流体バッグ３１、３３、５９、６１とを具備してなる椅子であって、前記着座面４ａ、５ａと前記流体バッグ３１、３３、５９、６１との間に、着座面４ａ、５ａに沿う方向の空気流動性を有した介在物を配したことを特徴とする椅子。【選択図】図１７
2010094307.tif 000002
【特許請求の範囲】
【請求項１】
着座面に作用する荷重を受け止めるシェルと、クッション機能を果たすべくこのシェルの表面に添設された流体バッグとを具備してなる椅子であって、前記着座面と前記流体バッグとの間に、着座面に沿う方向の空気流動性を有した介在物を配したことを特徴とする椅子。
【請求項２】
前記介在物が、空気流動性を有した立体構造をなす張地である請求項１記載の椅子。
【請求項３】
前記介在物が、前記流体バッグの外側を覆う外部クッションと、この外部クッションの表面側に装着された張地である請求項１又は２記載の椅子。
【請求項４】
前記外部クッションが、その着座面側に空気を流通させるための凹部又は凸部を有したものである請求項３記載の椅子。
【請求項５】
前記外部クッションが、その背面側にも凹部又は凸部を有している請求項４記載の椅子。
【請求項６】
前記凹部が、一定方向に沿った溝である請求項４又は５記載の椅子。
【請求項７】
前記溝が、椅子の背凭れに設けられた前記外部クッションの着座面側において、少なくとも上下方向に沿って設けられている請求項６記載の椅子。
【請求項８】
前記溝が、椅子の座に設けられた前記外部クッションの着座面側において、少なくとも前後方向に沿って設けられている請求項６記載の椅子。
【請求項９】
前記凹部が、複数本設けられた溝であり、これらの溝がそれぞれ交差している請求項４又は５記載の椅子。
【請求項１０】
前記外部クッションが、着座面側の凹部と背面側の凹部とを連通させる連通路をさらに備えている請求項５、６、７、８又は９記載の椅子。
【発明の詳細な説明】
【技術分野】
【０００１】
本発明は、着座者の姿勢に追随して保持状態を変化させ得る椅子に関するものである。
【背景技術】
【０００２】
従来、エアバッグ等を座や背凭れに内蔵して、そのエアバッグの膨らみによって着座者に対する保持状態を多様化させた椅子が知られている（例えば、特許文献１）。
【０００３】
ところで、この種のエアバッグは、合成樹脂フィルムなどにより作られた袋体内に空気を充填したものであるため、断熱性に富んでいる。そのため、着座者から発せられる熱が着座面と前記エアバッグとの間に籠ることがあり、爽快な使用感が得られにくいという問題があった。
【０００４】
このような問題は、袋体内の封入物として空気以外の流体を用いた場合でも同じように発生することが予想される。
【特許文献１】特開平１１−０３２８６６号公報
【発明の開示】
【発明が解決しようとする課題】
【０００５】
本発明は、以上のような事情に着目してなされたもので、座や背凭れに、流体バッグを内蔵させた場合の課題、すなわち、熱が籠りやすく爽快な使用感が得られにくいという問題を解消しようとするものである。
【課題を解決するための手段】
【０００６】
以上のような課題を解決するためになされた本発明に係る椅子は、着座面に作用する荷重を受け止めるシェルと、クッション機能を果たすべくこのシェルの表面に添設された流体バッグとを具備してなる椅子であって、前記着座面と前記流体バッグとの間に、着座面に沿った方向の空気流動性を有した介在物を配したことを特徴とする。
【０００７】
ここで、「着座面」とは、着座者を支持し得る面を指すものであり、着座者の大腿部から臀部を支持する座面のみならず、着座者の腰部から上体を支持し得る背凭れ面をも含む概念とする。
【０００８】
また本発明において「流体」とは、流路内を流動し得るものであれば、気体であっても液体であってもよく、気体、液体の種類についてもなんら限定するものではなく、種々の気体並びに液体を適用することが可能である。
【０００９】
このようなものであれば、介在物によって着座面に沿った方向に空気流動性が発生することにより空気が流動し、着座者と流体バッグとの間で空気が滞留することを防ぐことができるため、熱が籠りにくく着座者に爽快な使用感を与え得る。
【００１０】
前記介在物が、空気流動性を有した立体構造をなす張地であれば、その立体構造により空気が流動する通路が形成され、着座面に沿った方向への空気流動性が発生し得る。
【００１１】
また、前記介在物が、前記流体バッグの外側を覆う外部クッションと、この外部クッションの表面側に装着された張地であれば、外部クッション又は張地の一方もしくはそれら両方に空気流動性を有したものを好適に用いることができる。
【００１２】
外部クッションに着座面に沿った方向の空気流動性を有した介在物を配したものの好適な例としては、外部クッションの着座面側に空気を流通させるための凹部又は凸部を有したものが挙げられる。このようなものであれば、凹部又は凸部によって形成される空間を空気が通過することにより、空気流動性が発生し得る。
【００１３】
また、特に熱の籠りを効果的に防ぐためには、外部クッションがその背面側にも凹部又は凸部を有しているものが好ましい。
【００１４】
さらに、着座面の円滑化を高めるためには、凹部が一定方向に沿った溝であるものが好ましい。このようなものであれば、流体バッグが膨張する際に溝が広がるように外部クッションが変形することで、着座時のクッション性を維持しつつ流体バッグの膨縮に対する変形追従性も向上させることができる。
【００１５】
このような溝を椅子の背凭れに設けられた前記外部クッションに適用するには、外部クッションの着座面側において、少なくとも上下方向に沿って設けられているものが好ましく、また、このような溝を椅子の座に設けられた前記外部クッションに適用するには、外部クッションの着座面側において、少なくとも前後方向に沿って設けられているものが好ましい。このようなものであれば、着座時に体重移動をしやすい方向に溝を走らせることで、効率的に空気を流動させることができる。
【００１６】
前記凹部が、複数本設けられた溝であり、これらの溝がそれぞれ交差しているものや、外部クッションが、着座面側の凹部と背面側の凹部とを連通させる連通路をさらに備えているものであれば、さらに流動性が向上し得る。
【発明の効果】
【００１７】
本発明によれば、座や背凭れに流体バッグを内蔵させた場合に、熱が籠りやすく爽快な使用感が得られにくいという問題を解消できる。
【発明を実施するための最良の形態】
【００１８】
以下、本発明をシンクロチルトタイプの事務用回転椅子に適用した場合の一実施形態につき、図１ないし図２１を参照して説明する。
【００１９】
この椅子は、図１ないし図３に示すように、脚部１に支持された支持基部２上に座受け３を介して座４を配するとともに、前記支持基部２に背凭れ５を後傾動作可能に取り付けたものである。前記背凭れ５には、ランバーサポート６、ヘッドレスト７、及び肘掛け８が装着してある。以下、各部の構成を説明する。
【００２０】
＜脚部１の構成＞  脚部１は、図１ないし図３に示すように、キャスター１１ａを有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部２が取り付けられている。
【００２１】
＜支持基部２の構成＞  支持基部２は、図２及び図３に示すように、前記脚部１によって水平旋回可能に支持されたもので、前記脚支柱１３に装着されたハウジング１５と、このハウジング１５に貫装される背凭れ支持用の支軸１７と、この支軸１７に力を付与して前記背凭れ５の後傾動作に対して弾性反発力を発生させる図示しない傾動反力発生機構とを具備してなる。前記傾動反力発生機構は、図示しないコイルスプリングやガススプリング等を用いて前記支軸１７に回転方向の弾性反発力を付与し得るように構成されたものであるが、通常のものであるため説明を省略する。
【００２２】
＜座受け３の構成＞  座受け３は、図３及び図４に示すように、座受本体１９と、この座受本体１９の上面にビス等により取り付けられ前記座４を前後移動可能に案内する案内部材２１とを具備してなる。座受本体１９は、多数のリブにより補強された厚板状のもので、その前端側１９ａが前記支持基部２に前後動自在に支持されているとともに、後端側１９ｂが後述するようにして前記背凭れ５に相対回動可能に支持されている。この構成によって、この座受け３上に配される座４が、前記背凭れ５の後傾動作に対して一定の角度比率をもって沈み込む動作、換言すれば、シンクロチルト動作が実現されるようになっている。
【００２３】
＜座４の構成＞  座４は、図１ないし図９に示すように、大腿部サポート領域４ｂと、臀部サポート領域４ｃと、左、右のサイドサポート領域４ｄ、４ｅとを有したもので、具体的構造としては、座アウターシェル２３上に座ユニット２５を装着してなる。
【００２４】
座アウターシェル２３は、前記座受本体１９上に前後方向にスライド可能に跨座させたシェル本体２３ａと、このシェル本体２３ａの左、右両側に設けたサイドサポート形成部２３ｂ、２３ｃとを備えたもので、合成樹脂により一体に成形されている。前記シェル本体２３ａには、図４に示すように、前後方向に伸びるスリット２３ｄが形成されている。これらのスリット２３ｄは、底面側が上面側よりも幅狭となる逆Ｌ字形の横断面形状をなしており、これらスリット２３ｄにスライド可能に係わり合わせた前記案内部材２１を前記座受本体１９にビス等を用いて止着することによって、この座アウターシェル２３を前記座受本体１９に前後移動可能に、且つ離脱不能に取り付けている。なお、前記座アウターシェル２３と前記座受本体１９との間には、座４の前後方向の固定位置を調節するための図示しないロック機構が設けてある。このロック機構は、常時は前記座アウターシェル２３を前記座受本体１９にロックしておき、後述する非流体バッグ用操作体４ｙの一つを操作することによってそのロック状態を解除することができるようにした通常のものである。前記座アウターシェル２３の一方のサイドサポート形成部２３ｂには、流体バッグ用操作体４ｘ、すなわち、後述する開閉操作体３５ｃ及びリリース操作体３７ｃを表出させるための欠除窓２３ｅが設けてあり、他方のサイドサポート形成部２３ｃには、前記非流体バッグ用操作体４ｙを取り付けるための操作体取付部２３ｆが設けてある。このようにしてなる座アウターシェル２３の上に前記座ユニット２５を装着している。
【００２５】
座ユニット２５は、図４に示すように、座インナーシェル２７と、この座インナーシェル２７の表面側を覆う外装材２９とを具備してなるもので、前記座インナーシェル２７と前記外装材２９との間には、流体である空気の導出入により膨縮する大腿部支持用の流体バッグ３１と、臀部支持用の流体バッグ３３が介在させてある。これら両流体バッグ３１、３３は、図４、図７及び図８に示すように、開閉バルブ３５により開閉される連通流路３９により連通可能に接続されており、また、一方の流体バッグ３１は、リリースバルブ３７により開閉されるリリース流路４１を介して外部流体存在環境である大気中に開放され得るようになっている。流体制御機器であるこれらのバルブ３５、３７は保持部材である下面カバー４３によって前記座インナーシェル２７に取り付けられている。
【００２６】
座インナーシェル２７は、図４及び図９に示すように、座４の着座面４ａに作用する荷重を受け止めるためのもので、シェル本体２７ａと、このシェル本体２７ａの左右両側に設けられたサイドサポート形成部２７ｂとを具備してなる。前記シェル本体２７ａと前記サイドサポート形成部２７ｂとは、合成樹脂等により一体に成形されたもので、前記サイドサポート形成部２７ｂは、背面側において凹陥した形態をなしている。前記両流体バッグ３１、３３は、図４及び図７に示すように、前記シェル本体２７ａの表面側に添えられており、流体制御機器である前記開閉バルブ３５、及びリリースバルブ３７は、前記サイドサポート形成部２７ｂの背面側にリブ２７ｆにより位置決めされて配されている。そして、前記下面カバー４３をビス等により前記サイドサポート形成部２７ｂに取り付けることによって、前記両バルブ３５、３７がこの座インナーシェル２７に保持されるようになっている。前記シェル本体２７ａと前記サイドサポート形成部２７ｂとの境界部分には対をなす通路２７ｃが形成されており、これらの通路２７ｃに前記流体バッグ３１、３３と前記バルブ３５、３７とを接続させるための配管３９ａ、３９ｂを挿通させている。前記各通路２７ｃは、図４及び図９に示すように、前記座インナーシェル２７の背面側を溝状に凹陥させて形成したトンネル部２７ｄと、このトンネル部２７ｄ内を該座インナーシェル２７の表面側に連通させる孔２７ｅとを備えてなる。前記トンネル部２７ｄの幅及び深さは、前記配管３９ａ、３９ｂを嵌め込むことができる寸法に設定してある。このようにしてなる座インナーシェル２７の周縁部下面側に前記外装材２９の周縁部を図示しないタッカ等を用いて止着している。
【００２７】
外装材２９は、図３ないし図６に示すように、モールドウレタン等により作られた外部クッション２９ａと、この外部クッション２９ａの表面側を覆う張地２９ｂとを具備してなる。この外装材２９は、座４の前後方向中間箇所において座インナーシェル２７側に引き込まれており、それによって前記大腿部サポート領域４ｂと前記臀部サポート領域４ｃとを区画する境界ｋ１が形成されている。前記大腿部支持用の流体バッグ３１は前記大腿部サポート領域４ｂに内蔵されるとともに、前記臀部支持用の流体バッグ３３は前記臀部サポート領域４ｃに内蔵されている。換言すれば、これら両流体バッグ３１、３３は前記境界ｋ１を挟んで隣接するように配されている。前記外装材２９の引き込み部分の構成を具体的に説明すれば次の通りである。図６に拡大して示すように、前記外部クッション２９ａの表面側における前記境界ｋ１に対応する部位に領域区成溝ｋ１ｍを形成しておく。そして、前記張地２９ｂの表面側に添えた引込線材ｋ１ｓを前記座インナーシェル２７方向に牽引して前記引込線材ｋ１ｓを前記張地２９ｂと共に前記領域区成溝ｋ１ｍ内に没入させることによって前記境界ｋ１を形成している。前記引込線材ｋ１ｓの引き込みには、前記外部クッション２９ａ及び座インナーシェル２７に貫通させた紐ｋ１ｈ等が用いられる。
【００２８】
なお、図５に示すように、前記外部クッション２９ａの底面側における前記境界ｋ１に対応する部位には、前記領域区成溝ｋ１ｍを内包する壁ｋ１ｋが形成されており、この壁ｋ１ｋによって前記境界ｋ１に実質的な厚みが付与されている。換言すれば、この壁ｋ１ｋによって、隣接する前記流体バッグ３１、３３同士が一定距離以下に接近しないように位置決めされている。この座４においては、図１に示すように、前記大腿部サポート領域４ｂと前記左、右のサイドサポート領域４ｄ、４ｅとの間にも境界ｋ２、ｋ３が形成され、また、前記臀部サポート領域４ｃと前記左、右のサイドサポート領域４ｄ、４ｅとの間にも境界ｋ４、ｋ５が形成されている。そして、前記外部クッション２９ａの背面側における前記境界ｋ２、ｋ３に対応する部位に形成された壁ｋ２ｋ、ｋ３ｋによって、前記大腿部支持用の流体バッグ３１の左右方向の位置決めを行うとともに、前記境界ｋ４、ｋ５に対応する部位に形成された壁ｋ４ｋ、ｋ５ｋによって、前記臀部支持用の流体バッグ３３の左右方向の位置決めを行なっている。
【００２９】
一方、図１７に示すように、外部クッション２９ａの着座面４ａ側には、着座面４ａに沿う方向の空気流動性を有するように、座４に対して前後方向に沿って複数の溝２９ｃがほぼ平行に設けられている。外部クッション２９ａの厚み方向に設けられている溝２９ｃの深さは、図１８で図１７におけるＡ‐Ａ線端面図に示すように、溝２９ｃの横寸法とほぼ同じ大きさである。なお、この外部クッション２９ａの表面側は張地２９ｃで覆われるため、椅子の外部からは溝２９ｃは視認されないものとしている。
【００３０】
大腿部支持用の流体バッグ３１は、図４、図７及び図８に示すように、合成樹脂フィルム等により作られ内部に膨縮可能な流体室３１ｂを形成する袋体３１ａと、前記流体室３１ｂ内に収容した自己復帰用弾性体たる内部クッション３１ｃとを具備してなるもので、その一端部には、前記流体室３１ｂに連通する流体導出入口３１ｄを有している。前記内部クッション３１ｃは、スラブウレタン等により作られたもので、前記流体導出入口３１ｄに対応する部位に空洞を形成するための欠除部３１ｆを有するとともに、着座面４ａ側の面に流体である空気の流れを円滑化するための流動制御手段たる流通溝３１ｇを備えている。前記流通溝３１ｇは、例えば、複数本平行に形成されている。この流体バッグ３１は、その周縁に立壁部３１ｅを有した厚みのあるもので、立壁部を有しない同一平面形状の流体バッグに比べて厚み変化率が小さく設定されている。
【００３１】
ここで、「厚み変化率」とは、外部から荷重をかけない状態で前記大腿部支持用の流体バッグ３１、前記臀部支持用の流体バッグ３３、後述する背中支持用の流体バッグ５９、及び後述する腰部支持用の流体バッグ６１に流体たる空気を導出入させる場合における単位流量当たりの厚み寸法の変化値を意味している。なお、前記厚み寸法とは、着座面４ａ、５ａに直交する方向の寸法であって、最も変化の大きな部位の値をいう。換言すれば、前記厚み寸法とは、着座面４ａ、５ａに直交する方向の寸法であって、着座面４ａ、５ａに最も影響を与える部位の値をいう。着座感を設定するには、前記流体バッグ３１、３３、５９、６１の全容積がどのように変化するかという点よりも、前記流体バッグ３１、３３、５９、６１がどれだけ着座面４ａ、５ａ方向に膨縮するかという点に着目する必要があるからである。
【００３２】
流体バッグ３１、３３、５９、６１の厚み変化率は、座４や背凭れ５に内蔵させた前記流体バッグ３１、３３、５９、６１が前記座４や背凭れ５の着座面４ａ、５ａに及ぼす影響の大小を表す特性値である。厚み変化率が大きな値を示すということは、同じ量の流体たる空気の導出入に対して前記流体バッグ３１、３３、５９、６１の厚みがより変化しやすいということを意味しており、厚み変化率が小さな値を示すということは、その逆を意味している。
【００３３】
厚み変化率は、基本的には流体バッグ３１、３３、５９、６１の実質的な容量を異ならせることにより調節することができる。しかし、椅子に適用される流体バッグ３１、３３、５９、６１においては、座４や背凭れ５の全体形状、あるいは、流体バッグ３１、３３、５９、６１を内蔵させる領域の形状や広狭によって、着座面側からの投影面積や形状に一定の制限を受ける。そのため、かかる制限下で流体バッグ３１、３３、５９、６１の厚み変化率を調整するには、流体バッグ３１、３３、５９、６１の周縁形態、すなわち、立壁部３１ｅ、３３ｅの有無や、立壁部３１ｅ、３３ｅの変形特性が重要な要素となる。
【００３４】
臀部支持用の流体バッグ３３は、図４、図７及び図８に示すように、合成樹脂フィルム等により作られ内部に膨縮可能な流体室３３ｂを形成する袋体３３ａと、前記流体室３３ｂ内に収容した自己復帰用弾性体である内部クッション３３ｃとを具備してなるもので、その一端部には、前記流体室３３ｂに連通する流体導出入口３３ｄを有している。前記内部クッション３３ｃは、スラブウレタン等により作られたもので、前記流体導出入口３３ｄに対応する部位に空洞を形成するための欠除部３３ｆを有するとともに、着座面４ａ側の面に流体である空気の流れを円滑化するための流動制御手段たる流通溝３３ｇを備えている。前記流通溝３３ｇは、例えば、複数本平行に形成されている。この流体バッグ３３は、その周縁に立壁部３３ｅを有した厚みのあるもので、立壁部を有しない同一平面形状の流体バッグに比べて厚み変化率が小さく設定されている。この流体バッグ３３の流体導出入口３３ｄは、連通流路３９を介して前記流体バッグ３１の流体導出入口３１ｄに接続されており、この連通流路３９を前記開閉バルブ３５によって断続させ得るようになっている。
【００３５】
開閉バルブ３５は、図４及び図７に示すように、一端に第１ポート３５ａを、他端に第２ポート３５ｂをそれぞれ有し、内部に前記両ポート３５ａ、３５ｂ間の連通を断続させるための図示しない弁体を備えた通常のものである。この開閉バルブ３５は、図７に示すように、レバー状をなす開閉操作体３５ｃを実線で示す開位置ｏに操作した場合に前記第１ポート３５ａと第２ポート３５ｂとを連通させ、想像線で示す閉位置ｃに操作した場合に前記両ポート３５ａ、３５ｂ間の連通を遮断するように構成されている。この開閉バルブ３５の第１ポート３５ａは、前記連通流路３９の一部を構成する配管３９ａを介して前記大腿部支持用流体バッグ３１の流体導出入口３１ｄに接続され、第２ポート３５ｂは、前記連通流路３９の一部を構成する配管３９ｂを介して前記臀部支持用流体バッグ３３の流体導出入口３３ｄに接続されている。この開閉バルブ３５に前記リリースバルブ３７を隣接させている。
【００３６】
リリースバルブ３７は、図４及び図７に示すように、一端に第１ポート３７ａを、他端に第２ポート３７ｂをそれぞれ有し、内部に前記両ポート３７ａ、３７ｂ間の連通を断続させるための図示しない弁体を備えた通常のものである。このリリースバルブ３７は、押しボタン状をなすリリース操作体３７ｃを有してなるもので、そのリリース操作体３７ｃをリリース位置まで押圧操作した場合に前記第１ポート３７ａと第２ポート３７ｂとを連通させ、操作を止めた場合に前記両ポート３７ａ、３７ｂ間の連通を遮断するように構成されている。このリリースバルブ３７の第１ポート３７ａは、外部流体存在環境である大気中に開放されており、第２ポート３７ｂは、前記リリース流路４１の一部を構成する配管４１ａを介して前記大腿部支持用流体バッグ３１の流体導出入口３１ｄに接続されている。このリリースバルブ３７と前記開閉バルブ３５は、前述したように保持部材たる下面カバー４３を用いて前記座４の一方のサイドサポート領域４ｄの下面側に取り付けられている。
【００３７】
下面カバー４３は、図４及び図９に示すように、前記開閉バルブ３５の開閉操作体３５ｃを取り付けるための孔４３ａと、前記リリースバルブ３７のリリース操作体３７ｃを外部に表出させるための窓４３ｂを有した板状のもので、ビス等を用いて前記座インナーシェル２７のサイドサポート形成部２７ｂに取り付けられる。下面カバー４３を取り付けた状態では、前記リブ２７ｆにより位置決めされた両バルブ３５、３７が該下面カバー４３と前記サイドサポート形成部２７ｂとの間に挟持状態で保持される。この下面カバー４３の外面側に配される開閉操作体３５ｃは、図２に示すように、前記孔４３ａを介して前記開閉バルブ３５に機械的に取り付けられ、前記リリースバルブ３７のリリース操作体３７ｃは、前記窓４３ｂを介して外部に表出するようになっている。なお、以上のようにしてなる座ユニット２５を前記座アウターシェル２３上に装着した状態では、前記下面カバー４３が前記座アウターシェル２３の欠除窓２３ｅに嵌まり込み、外観上、その下面カバー４３の外面が前記座アウターシェル２３の外面の一部をなすように形作られている。座ユニット２５の座インナーシェル２７と前記座アウターシェル２３との結合構造は、通常のものであるため図示及び説明を省略する。なお、以上のような構成によれば、両バルブ３５、３７の操作部３５ｃ、３７ｃも座ユニット２５の一構成要素になるため、操作部３５ｃ、３７ｃを含む座ユニット２５を一体として着脱したり、移動させることが可能になる。また、この座ユニット２５を座アウターシェル２３に装着した場合には、椅子の外方から直接操作できるように構成される。
【００３８】
＜背凭れ５の構成＞  背凭れ５は、図１ないし図３及び図１０ないし図１６に示すように、背中サポート領域５ｂと、腰部サポート領域５ｃと、左、右のサイドサポート領域５ｄ、５ｅとを有したもので、具体的構造としては、背アウターシェル５１の表面に背ユニット５３を装着してなる。
【００３９】
背アウターシェル５１は、図２及び図３に示すように、起立したシェル本体５１ａと、前記座４の下方に位置させた下端部５１ｂと、前記シェル本体５１ａをこの下端部５１ｂに滑らかに連続させる中間屈曲部５１ｃとを具備してなる。換言すれば、この背アウターシェル５１は、その下端部５１ｂを前記支持基部２にまで延長してなるもので、その延長端５１ｂ１を前記支持基部２における背凭れ支持用の支軸１７に取り付けている。この背アウターシェル５１は、例えば、アルミダイキャスト製の一体成形品であり、通常の椅子における背支桿に匹敵する強度を備えている。そして、この背アウターシェル５１は、前記背支桿と同様に、前記支軸１７の回転に伴って後傾動作を行い得るようになっている。この背アウターシェル５１の下端部５１ｂにおける上面側には、前記座受本体１９の後端側１９ｂを相対回転可能に支持するための座受け取付部５１ｄを備えている。また、前記中間屈曲部５１ｃの表面側には前記肘掛け８を取り付けるための肘掛け取付部５１ｅが一体に設けてある。このようにしてなる背アウターシェル５１の表面に前記背ユニット５３が取り付けてある。
【００４０】
背ユニット５３は、図１０、図１２及び図１６に示すように、背インナーシェル５５と、この背インナーシェル５５の表面側を覆う外装材５７とを具備してなるもので、前記背インナーシェル５５と前記外装材５７との間には、流体である空気の導出入により膨縮する背中支持用の流体バッグ５９と、腰部支持用の流体バッグ６１が介在させてある。これら両流体バッグ５９、６１は、図１０及び図１３に示すように、開閉バルブ６５により開閉される連通流路６９により連通可能に接続されており、また、一方の流体バッグ６１は、リリースバルブ６７により開閉されるリリース流路７１を介して外部流体存在環境である大気中に開放され得るようになっている。流体制御機器であるこれらのバルブ６５、６７は保持部材である背面カバー７３によって前記背インナーシェル５５に取り付けられている。
【００４１】
背インナーシェル５５は、図１０及び図１５に示すように、背凭れ５の着座面５ａに作用する荷重を受け止めるためのもので、シェル本体５５ａと、このシェル本体５５ａの左右両側に設けられたサイドサポート形成部５５ｂとを具備してなる。前記シェル本体５５ａと前記サイドサポート形成部５５ｂとは、合成樹脂等により一体に成形されたもので、前記サイドサポート形成部５５ｂは、図１５に拡大して示すように、背面側において凹陥した形態をなしている。前記両流体バッグ５９、６１は、前記シェル本体５５ａの表面側に添えられており、流体制御機器である前記開閉バルブ６５、及びリリースバルブ６７は、前記サイドサポート形成部５５ｂの背面側にリブ５５ｆにより位置決めされて配されている。そして、前記背面カバー７３をビスや弾性爪等により前記サイドサポート形成部５５ｂに取り付けることによって、前記両バルブ６５、６７がこの背インナーシェル５５に保持されるようになっている。図１０及び図１５に示すように、前記シェル本体５５ａと前記サイドサポート形成部５５ｂとの境界部分には対をなす通路５５ｃが形成されており、これらの通路５５ｃに前記流体バッグ５９、６１と前記バルブ６５、６７とを接続させるための配管６９ａ、６９ｂを挿通させている。前記各通路５５ｃは、前記背インナーシェル５５の背面側を溝状に凹陥させて形成したトンネル部５５ｄと、このトンネル部５５ｄ内を該背インナーシェル５５の表面側に連通させる孔５５ｅとを備えてなる。前記トンネル部５５ｄの幅及び深さは、前記配管６９ａ、６９ｂを嵌め込むことができる寸法に設定してある。このようにしてなる背インナーシェル５５の周縁部背面側に前記外装材５７の周縁部を図示しないタッカ等を用いて止着している。
【００４２】
外装材５７は、図１０ないし図１２及び図１６に示すように、モールドウレタン等により作られた外部クッション５７ａと、この外部クッション５７ａの表面側を覆う張地５７ｂとを具備してなる。この外装材５７は、前記背凭れ５の上下方向中間箇所において前記背インナーシェル５５側に引き込まれており、それによって前記背中サポート領域５ｂと前記腰部サポート領域５ｃとを区画する境界ｋ１１が形成されている。前記背中支持用の流体バッグ５９は前記背中サポート領域５ｂに内蔵されるとともに、前記腰部支持用の流体バッグ６１は前記腰部サポート領域５ｃに内蔵されている。換言すれば、これら両流体バッグ５９、６１は前記境界ｋ１１を挟んで隣接するように配されている。前記外装材５７の引き込み部分の構成を具体的に説明すれば次の通りである。図１２に拡大して示すように、前記外部クッション５７ａの表面側における前記境界ｋ１１に対応する部位に領域区成溝ｋ１１ｍを形成しておく。そして、前記張地５７ｂの表面側に添えた引込線材ｋ１１ｓを前記背インナーシェル５５方向に牽引して前記引込線材ｋ１１ｓを前記張地５７ｂと共に前記領域区成溝ｋ１１ｍ内に没入させることによって前記境界ｋ１１を形成している。前記引込線材ｋ１１ｓの引き込みには、前記外部クッション５７ａ及び背インナーシェル５５に貫通させた紐ｋ１１ｈ等が用いられる。
【００４３】
なお、図１１に示すように、前記外部クッション５７ａの背面側における前記境界ｋ１１に対応する部位には、前記領域区成溝ｋ１１ｍを内包する壁ｋ１１ｋが形成されており、この壁ｋ１１ｋによって前記境界ｋ１１に実質的な厚みが付与されている。換言すれば、この壁ｋ１１ｋによって、隣接する前記流体バッグ５９、６１同士が一定距離以下に接近しないように位置決めされている。この背凭れ５においては、図１に示すように、前記背中サポート領域５ｂと前記左、右のサイドサポート領域５ｄ、５ｅとの間にも境界ｋ１２、ｋ１３が形成され、また、前記腰部サポート領域５ｃと前記左、右のサイドサポート領域５ｄ、５ｅとの間にも境界ｋ１４、ｋ１５が形成されている。そして、前記外部クッション５７ａの背面側における前記境界ｋ１２、ｋ１３に対応する部位に形成された壁ｋ１２ｋ、ｋ１３ｋによって、前記背中支持用の流体バッグ５９の左右方向の位置決めを行うとともに、前記境界ｋ１４、ｋ１５に対応する部位に形成された壁ｋ１４ｋ、ｋ１５ｋによって、前記腰部支持用の流体バッグ６１の左右方向の位置決めを行なっている。
【００４４】
一方、図１９に示すように、外部クッション５７ａの着座面５ａ側には、着座面５ａに沿う方向の空気流動性を有するように、背凭れ５に対して上下方向及び左右方向に沿って複数の溝５７ｃが、それぞれの方向についてほぼ平行に設けられている。外部クッション５７ａの厚み方向に設けられている溝５７ｃの深さは、図２０で図１９におけるＢ‐Ｂ線端面図に示すように、溝５７ｃの横寸法とほぼ同じ大きさである。なお、この外部クッション５７ａの表面側は張地５７ｃで覆われるため、椅子の外部からは溝５７ｃは視認されないものとしている。
【００４５】
背中支持用の流体バッグ５９は、図１３及び図１４に示すように、合成樹脂フィルム等により作られ内部に膨縮可能な流体室５９ｂを形成する袋体５９ａと、前記流体室５９ｂ内に収容した自己復帰用弾性体たる内部クッション５９ｃとを具備してなるもので、その一端部には、前記流体室５９ｂに連通する流体導出入口５９ｄを有している。前記内部クッション５９ｃは、スラブウレタン等により作られたもので、前記流体導出入口５９ｄに対応する部位に空洞を形成するための欠除部５９ｆを有するとともに、着座面４ａ側の面に流体である空気の流れを円滑化するための流動制御手段たる流通溝５９ｇを備えている。前記流通溝５９ｇは、例えば、複数本平行に形成されている。この流体バッグ５９は、その周縁に立壁部を有しないもので、立壁部を有する同一正面形状の流体バッグに比べて厚み変化率が大きく設定されている。
【００４６】
腰部支持用の流体バッグ６１は、図１３及び図１４に示すように、合成樹脂フィルム等により作られ内部に膨縮可能な流体室６１ｂを形成する袋体６１ａと、前記流体室６１ｂ内に収容した自己復帰用弾性体である内部クッション６１ｃとを具備してなるもので、その一端部には、前記流体室６１ｂに連通する流体導出入口６１ｄを有している。前記内部クッション６１ｃは、スラブウレタン等により作られたもので、前記流体導出入口６１ｄに対応する部位に空洞を形成するための欠除部６１ｆを有するとともに、着座面５ａ側の面に流体である空気の流れを円滑化するための流動制御手段たる流通溝６１ｇを備えている。前記流通溝６１ｇは、例えば、複数本平行に形成されている。この流体バッグ６１は、その周縁に立壁部を有しない薄手のもので、立壁部を有する同一正面形状の流体バッグに比べて厚み変化率が大きく設定されている。なお、この流体バッグ６１は、正面視において、前記背中支持用の流体バッグ５９よりも小さな面積を有しており、その流体室６１ｂの容積は前記背中支持用の流体バッグ５９の流体室５９ｂの容積よりも小さく設定されている。すなわち、この腰支持用流体バッグ６１の厚み変化率は、前記背中支持用流体バッグ５９の厚み変化率よりも大きく設定されている。この流体バッグ６１の流体導出入口６１ｄは、連通流路６９を介して前記流体バッグ５９の流体導出入口５９ｄに接続されており、この連通流路６９を前記開閉バルブ６５によって断続させ得るようになっている。
【００４７】
開閉バルブ６５は、図１０及び図１３に示すように、一端に第１ポート６５ａを、他端に第２ポート６５ｂをそれぞれ有し、内部に前記両ポート６５ａ、６５ｂ間の連通を断続させるための図示しない弁体を備えた通常のものである。この開閉バルブ６５は、図１３に示すように、レバー状をなす開閉操作体６５ｃを実線で示す開位置ｏに操作した場合に前記第１ポート６５ａと第２ポート６５ｂとを連通させ、想像線で示す閉位置ｃに操作した場合に前記両ポート６５ａ、６５ｂ間の連通を遮断するように構成されている。この開閉バルブ６５の第１ポート６５ａは、前記連通流路６９の一部を構成する配管６９ａを介して前記腰部支持用流体バッグ６１の流体導出入口６１ｄに接続され、第２ポート６５ｂは、前記連通流路６９の一部を構成する配管６９ｂを介して前記背中支持用流体バッグ５９の流体導出入口５９ｄに接続されている。この開閉バルブ６５に前記リリースバルブ６７を隣接させている。
【００４８】
リリースバルブ６７は、図１０及び図１３に示すように、一端に第１ポート６７ａを、他端に第２ポート６７ｂをそれぞれ有し、内部に前記両ポート６７ａ、６７ｂ間の連通を断続させるための図示しない弁体を備えた通常のものである。このリリースバルブ６７は、押しボタン状をなすリリース操作体６７ｃを有してなるもので、そのリリース操作体６７ｃをリリース位置まで押圧操作した場合に前記第１ポート６７ａと第２ポート６７ｂとを連通させ、操作を止めた場合に前記両ポート６７ａ、６７ｂ間の連通を遮断するように構成されている。このリリースバルブ６７の第１ポート６７ａは、外部流体存在環境である大気中に開放されており、第２ポート６７ｂは、前記リリース流路７１の一部を構成する配管７１ａを介して前記腰部支持用流体バッグ６１の流体導出入口６１ｄに接続されている。このリリースバルブ６７と前記開閉バルブ６５は、前述したように保持部材たる背面カバー７３を用いて前記背凭れ５の一方のサイドサポート領域５ｄの背面側に取り付けられている。
【００４９】
背面カバー７３は、図２及び図１５に示すように、前記開閉バルブ６５の開閉操作体６５ｃを取り付けるための孔７３ａと、前記リリースバルブ６７のリリース操作体６７ｃを外部に表出させるための窓７３ｂを有した板状のもので、ビスや弾性爪等を用いて前記背インナーシェル５５のサイドサポート形成部５５ｂに取り付けられる。背面カバー７３を取り付けた状態では、前記リブ５５ｆにより位置決めされた両バルブ６５、６７が該背面カバー７３と前記サイドサポート形成部５５ｂとの間に挟持状態で保持される。この背面カバー７３の外面側に配される開閉操作体６５ｃは、前記孔７３ａを介して前記開閉バルブ６５に機械的に取り付けられ、前記リリースバルブ６７のリリース操作体６７ｃは、前記窓７３ｂを介して外部に表出するようになっている。なお、以上のようにしてなる背ユニット５３を前記背アウターシェル５１の表面に装着した状態では、前記背面カバー７３の外面が、前記背アウターシェル５１の背面と連続するように形作られている。前記背ユニット５３の背インナーシェル５５と前記背アウターシェル５１との結合構造は、通常のものであるため図示及び説明を省略する。なお、以上のような構成によれば、両バルブ６５、６７の操作部６５ｃ、６７ｃも背ユニット５３の一構成要素になるため、操作部６５ｃ、６７ｃを含む背ユニット５３を一体として着脱したり、移動させることが可能になる。また、この背ユニット５３を背アウターシェル５１に装着した場合には、椅子の外方から直接操作できるように構成される。以上のようにしてなる背凭れ５にランバーサポート６を設けている。
【００５０】
＜ランバーサポート６の構成＞  ランバーサポート６は、図３及び図１６に示すように、前記腰支持用の流体バッグ６１の背面に食い込むようにして前記背インナーシェル５５の表面側に配されたランバーサポート部材７５と、このランバーサポート部材７５を上下方向に移動させるための位置調節機構７７とを具備してなる。前記ランバーサポート部材７５は、前記流体バッグ６１の背面を押圧しつつ摺れ動くための曲面７５ａを有してなるもので、具体的には、例えば、蒲鉾形をなしている。このランバーサポート部材７５の背面には、対をなす突起７５ｂが設けてある。前記位置調節機構７７は、前記両突起７５ｂを案内するために背インナーシェル５５に設けた上下に延びる対をなすスリット７７ａと、前記背インナーシェル５５の背面側に配され上端部７７ｃを前記スリット７７ａを通して前記背面側に臨ませた前記突起７５ｂにビス７５ｃを用いて結合させた昇降操作レバー７７ｂとを具備してなる。この昇降操作レバー７７ｂの把持部７７ｄは、前記背ユニット５３の両側縁よりも外方に突出させてあり、この把持部７７ｄに上下方向の操作力を加えることによって、前記ランバーサポート部材７５の上下方向位置を変更することができるようになっている。
【００５１】
＜その他オプション類の構成＞  ヘッドレスト７は、図１ないし図３に示すように、ヘッドレスト本体７９と、このヘッドレスト本体７９を支えるヘッドレストフレーム８１と、このヘッドレストフレーム８１を昇降可能に保持する取付部８３とを具備してなるもので、その取付部８３を前記背アウターシェル５１の上端部表面側にビス等を用いて取り付けている。その取付構造は通常のものであるため、図示及び説明を省略する。
【００５２】
肘掛け８は、図１ないし図３に示すように、背凭れ５の両側にそれぞれ設けられたもので、基端部を前記背アウターシェル５１の肘掛け取付部５１ｅに取り付けた肘支柱８７と、この肘支柱８７に支持された肘当て８９とを具備してなる。
【００５３】
次いで、以上説明した実施形態の作動について説明する。
【００５４】
この椅子は、背凭れ５に凭れかかることによって、この背凭れ５が弾性反発力を伴いつつ後傾動作を行なう。背凭れ５が後傾すると、この背凭れ５の背アウターシェル５１の下端部に後端側を支持させた座受け３がシンクロ動作を行い、後退しながら後端側が沈み込む方向に傾動する。座４の右側のサイドサポート領域４ｅの下面側に設けた非流体バッグ用操作体４ｙを選択的に操作することによって、背凭れ５を所望の後傾位置にロックしたり、脚部１の支柱１３の伸縮位置を変更して座面の高さ位置を変えたり、座受け３に対する座４の前後方向固定位置を変更することができる。以上の操作は、通常の事務用回転椅子に採用されている公知の技術又はそれに準じた技術により実現されるものであり、詳細な説明は省略する。以下、流体バッグに関する作動を詳細に説明する。
【００５５】
＜座に関する作動＞  座４の左側のサイドサポート部４ｄの下面側に配設された流体バッグ操作体４ｘ、すなわち、開閉操作体３５ｃとリリース操作体３７ｃを操作することによって、前記座４に内蔵した大腿部支持用の流体バッグ３１と、臀部支持用の流体バッグ３３とを相反的に膨縮させて着座者に対する保持状態を調節することができる。
【００５６】
まず、図７に実線で示すように、開閉操作体３５ｃを開位置ｏに操作すると、大腿部支持用流体バッグ３１の流体室３１ｂと臀部支持用流体バッグ３３の流体室３３ｂとが連通流路３９を介して連通状態となる。この状態で着座者が体重を前方に移して大腿部で座４の着座面４ａを圧迫すると、大腿部支持用流体バッグ３１に対する圧縮方向の荷重が、臀部支持用流体バッグ３３に対する荷重よりも大きくなる。その結果、大腿部支持用流体バッグ３１内の空気が連通流路３９を通して臀部支持用流体バッグ３３に流入することになり、大腿部支持用流体バッグ３１が縮小するとともに、臀部支持用流体バッグ３３が膨らむ。逆に、着座者が体重を後方に移して臀部で座４の着座面４ａを圧迫すると、臀部支持用流体バッグ３３に対する荷重が大腿部支持用流体バッグ３１に対する荷重よりも大きくなる。その結果、臀部支持用流体バッグ３３内の空気が連通流路３９を通して大腿部支持用流体バッグ３１に流入することになり、臀部部支持用流体バッグ３３が縮小するとともに、大腿部支持用流体バッグ３１が膨らむ。
【００５７】
以上のように、開閉操作体３５ｃを開位置ｏに操作した場合には、座４の着座面４ａに作用する荷重に応じて前記両流体バッグ３１、３３が相反的に膨縮するものであり、前記座４が着座者の姿勢変更に追従してそのサポート状態を変える機能を発揮する。一方、図７に想像線で示すように、前記開閉操作体３５ｃを閉位置ｃに操作して開閉バルブ３５を遮断状態に切換えると、前記両流体バッグ３１、３３が所望の変形状態においてロックされることになる。すなわち、大腿部支持用流体バッグ３１が縮小するとともに臀部支持用流体バッグ３３が膨らんだ状態でロックすると、座４の着座面４ａが前傾姿勢で着座者を保持する状態となり、執務に適した姿勢を適切に維持することが可能となる。一方、臀部支持用流体バッグ３３が縮小するとともに大腿部支持用流体バッグ３１が膨らんだ状態でロックすると、座４の着座面４ａが後傾姿勢で着座者を保持する状態となり、リラックスした姿勢を許容し得るものとなる。以上説明した前傾姿勢と後傾姿勢の中間所望位置で両流体バッグ３１、３３をロックすることもできるのは勿論である。そして、ロック状態においても各流体バッグ３１、３３内における空気の流動や体積変化は起こり得るため、各流体バッグ３１、３３は個別にクッション機能を発揮し得るものとなる。
【００５８】
なお、前記流体バッグ３１、３３内の空気は袋体を構成する合成樹脂シート等を通して徐々に外部に漏洩することがあり、長期間使用していると前記流体バッグ３１、３３の適切な膨らみが得られなくなる。その場合には、前記開閉バルブ３５を開くとともに座４の着座面４ａに荷重をかけない状態を維持した上で、リリース操作体３７ｃをリリース位置に押圧操作してリリースバルブ３７を開成状態にする。その結果、前記両流体バッグ３１、３３の流体室３１ｂ、３３ｂはリリース流路４１を介して大気中に開放されることになる。その結果、前記両流体バッグ３１、３３は、内部に収容した内部クッション３１ｃ、３３ｃの弾性反発力によって外気を吸引しながら膨らみ、正規の基準状態にまで自己復帰することになる。前記両流体バッグ３１、３３が前記基準位置にまで自己復帰し終わった段階で、前記リリース操作体３７ｃへの押圧操作を止めてリリース流路４１を閉じれば、再び前述したような作用を営ませることが可能となる。
【００５９】
＜背凭れの作動＞  背凭れ５の左側に形成されたサイドサポート部５ｄの背面側に配設された開閉操作体６５ｃとリリース操作体６７ｃを操作することによって、前記背凭れ５に内蔵した背中支持用の流体バッグ５９と、腰部支持用の流体バッグ６１とを相反的に膨縮させて着座者に対する保持状態を調節することができる。
【００６０】
まず、図１３に実線で示すように、開閉操作体６５ｃを開位置ｏに操作すると、背中支持用流体バッグ５９の流体室５９ｂと腰部支持用流体バッグ６１の流体室６１ｂとが連通流路６９を介して連通状態となる。この状態で着座者が後傾動作等に伴って背中で背凭れ５の着座面５ａを圧迫すると、背中支持用流体バッグ５９に対する圧縮方向の荷重が、腰部支持用流体バッグ６１に対する荷重よりも大きくなる。その結果、背中支持用流体バッグ５９内の空気が連通流路６９を通して腰部支持用流体バッグ６１に流入することになり、背中支持用流体バッグ５９が縮小するとともに、腰部支持用流体バッグ６１が膨らむ。逆に、着座者が前傾動作等に伴って腰部で背凭れ５の着座面５ａを圧迫すると、腰部支持用流体バッグ６１に対する荷重が背中支持用流体バッグ５９に対する荷重よりも大きくなる。その結果、腰部支持用流体バッグ６１内の空気が連通流路６９を通して背中支持用流体バッグ５９に流入することになり、腰部支持用流体バッグ６１が縮小するとともに、背中支持用流体バッグ５９が膨らむ。
【００６１】
以上のように、開閉操作体６５ｃを開位置ｏに操作した場合には、背凭れ５の着座面５ａに作用する荷重に応じて前記両流体バッグ５９、６１が相反的に膨縮するものであり、前記背凭れ５が着座者の姿勢変更に追従してそのサポート状態を変える機能を発揮する。一方、図１３に想像線で示すように、前記開閉操作体６５ｃを閉位置ｃに操作して開閉バルブ６５を遮断状態に切換えると、前記両流体バッグ５９、６１が所望の変形状態においてロックされることになる。すなわち、背中支持用流体バッグ５９が縮小するとともに腰部支持用流体バッグ６１が膨らんだ状態でロックすると、背凭れ５の着座面５ａが後傾姿勢で着座者を保持する状態となり、リラックスした姿勢あるいはストレッチ等に適した姿勢を維持することが可能となる。一方、腰部支持用流体バッグ６１が縮小するとともに背中支持用流体バッグ５９が膨らんだ状態でロックすると、背凭れ５の着座面５ａが着座者の背中を前方に押し出すような姿勢を保持する状態となり、執務に適した姿勢を維持することが可能となる。以上説明した両姿勢の中間所望位置で両流体バッグ５９、６１をロックすることもできるのは勿論である。そして、ロック状態においても各流体バッグ５９、６１内における空気の流動や体積変化は起こり得るため、各流体バッグ５９、６１は個別にクッション機能を発揮し得るものとなる。
【００６２】
なお、前記流体バッグ５９、６１内の空気は前述した座４と同様に徐々に外部に漏洩することがあり、長期間使用していると前記流体バッグ５９、６１の適切な膨らみが得られなくなる。その場合には、前記開閉バルブ６５を開くとともに背凭れ５の着座面５ａに荷重をかけない状態を維持した上で、リリース操作体６７ｃをリリース位置に押圧操作してリリースバルブ６７を開成状態にする。その結果、前記両流体バッグ５９、６１の流体室５９ｂ、６１ｂはリリース流路７１を介して大気中に開放されることになる。その結果、前記両流体バッグ５９、６１は、内部に収容した内部クッション６１ｃの弾性反発力によって外気を吸引しながら膨らみ、正規の基準状態にまで自己復帰することになる。前記両流体バッグ５９、６１が前記基準状態にまで自己復帰し終わった段階で、前記リリース操作体６７ｃへの押圧操作を止めてリリース流路７１を閉じれば、再び前述したような作用を営ませることが可能となる。
【００６３】
また、この実施形態では、前記腰部支持用流体バッグ６１と背インナーシェル５５との間に、ランバーサポート部材７５を介在させ、このランバーサポート部材７５の上下方向位置を昇降レバー７７ｂを操作して変更することができるようにしているので、腰部のサポート感をより精妙に調節することが可能となる。すなわち、前記ランバーサポート部材７５は、前記腰部支持用流体バッグ６１の背面に食い込むように摺接しているため、ランバーサポート部材７５の位置を変更しても背凭れ５の着座面５ａに外観上目立った変化は生じない。しかし、ランバーサポート部材７５の存在する位置付近で腰部支持用流体バッグ６１から着座者に付与される反発感が大きくなるため、ランバーサポート部材７５の位置を調整することによって、腰部のホールド感を調整することが可能になる。
【００６４】
＜外装材の作動＞この実施形態では、着座面４ａ側に座４に対して前後方向に沿って複数の溝２９ｃがほぼ平行に設けられた前記外部クッション２９ａと、この表面側を覆う張地２９ｂとを備える外装材２９を用いているので、着座者が座４に着座したときに、着座面４ａと流体バッグ３１、３３との間に空気層を形成する溝が介在され、着座者の姿勢変更に追従してその溝内の空気が溝方向に沿って流動する。このような空気の流動によって着座面４ａと流体バッグ３１、３３との間の熱の籠りを調整することが可能になるとともに、外部クッション２９ａとして単一のクッションを用いて、着座面４ａ側は柔らかく、その反対側は硬めで強度を有するという複数の性質を持たせることができ、着座面４ａのサポート感をより精妙に調節することが可能となる。さらに、流体バッグ３１、３３の膨張によって外部クッション２９ａが着座面４ａ側に押圧された場合であっても、外部クッション２９ａに設けられた溝２９ｃがその側壁側に広がるようにして外部クッション２９ａの着座面４ａ側が変形するため、流体バッグ３１、３３の膨縮に関わらず、着座時のクッション性はそのまま維持できる。
【００６５】
また、着座面５ａ側に背凭れ５に対して上下左右方向に沿って複数の溝５７ｃが交差して設けられた前記外部クッション５７ａと、この表面側を覆う張地５７ｂとを備える外装材５７を用いているので、着座者が背凭れ５に凭れたときに、着座面５ａと流体バッグ５９、６１との間に空気層を形成する溝が介在され、着座者の姿勢変更に追従してその溝内の空気が溝方向に沿って流動する。このような空気の流動によって着座面５ａと流体バッグ５９、６１との間の熱の籠りを調整することが可能になるとともに、外部クッション５７ａとして単一のクッションを用いて、着座面５ａ側は柔らかく、その反対側は硬めで強度を有するという複数の性質を持たせることができ、着座面５ａのサポート感をより精妙に調節することが可能となる。さらに、流体バッグ５９、６１の膨張によって外部クッション５７ａが着座面５ａ側に押圧された場合であっても、外部クッション５７ａに設けられた溝５７ｃがその側壁側に広がるようにして外部クッション５７ａの着座面５ａ側が変形する。そのため、流体バッグ５９、６１の膨縮に関わらず、着座時のクッション性はそのまま維持できる。
【００６６】
以上のような構成とすることにより、本実施形態に係る椅子は、着座面４ａ、５ａに作用する荷重を受け止める各インナーシェル２７、５５と、クッション機能を果たすべくこの各インナーシェル２７、５５の表面に添設された流体バッグ３１、３３、５９、６１とを具備してなる椅子であって、前記着座面４ａ、５ａと前記流体バッグ３１、３３、５９、６１との間に、着座面４ａ、５ａに沿う方向の空気流動性を有した溝２９ｃ、５７ｃを配しているので、溝２９ｃ、５７ｃによって着座面４ａ、５ａに沿った方向に空気流動性が発生することにより空気が流動し、着座者と流体バッグ３１、３３、５９、６１との間で空気が滞留することを防ぐことができるため、熱が籠りにくく着座者に爽快な使用感を与え得る。また、着座者と流体バッグ３１、３３、５９、６１との間に熱が籠ることにより、流体バッグ３１、３３、５９、６１内の流体によってはその温度が上昇し体積膨張するなどするおそれもあるため、着座者と流体バッグ３１、３３、５９、６１との間で空気が滞留することを防ぐことにより体積膨張が抑制できる、という点においても着座者に爽快な使用感を与えることができる。
【００６７】
また、このような溝２９ｃ、５７ｃを配しているので、開閉バルブ３５やリリースバルブ３７の操作による流体バッグ３１、３３、５９、６１の膨縮に対する変形追従性も向上する。つまり、流体バッグ３１、３３、５９、６１の膨張によって外部クッション２９ａ、５７ａが着座面４ａ、５ａ側に押圧された場合であっても、外部クッション２９ａ、５７ａに設けられた溝２９ｃ、５７ｃがその側壁側に広がるようにして外部クッション２９ａ、５７ａの着座面４ａ、５ａ側が変形する。そのため、流体バッグ３１、３３、５９、６１の膨縮に関わらず、着座時のクッション性はそのまま維持できる。
【００６８】
さらに、外部クッション２９ａ、５７ａに溝２９ｃ、５７ｃを設けることで、空気の流動性を確保しつつ、クッション性の向上を図ることも可能となるとともに、外部クッション２９ａ、５７ａとして単一のクッションを用いて、着座面４ａ、５ａ側は柔らかく、その反対側は硬めで強度を有するという複数の性質を持たせることができる。したがってこのような性質を外部クッション２９ａ、５７ａに持たせるために、硬さの異なるクッションを複数枚組み合わせた場合と同様の効果を得ることができる。
【００６９】
溝２９ｃ、５７ｃが、椅子の座４に設けられた前記外部クッション２９ａの着座面４ａ側においては前後方向に沿って設けられており、椅子の背凭れ５に設けられた前記外部クッション５７ａの着座面５ａ側においては上下方向に沿って設けられているので、着座時に体重移動をしやすい方向に溝２９ｃ、５７ｃを走らせることで、効率的に空気を流動させることができる。
【００７０】
外部クッション５７ａの着座面５ａ側においては、上下方向に沿って設けられた溝５７ｃに直交して左右方向に沿って溝５７ｃがさらに設けられているので、上下方向に沿った溝５７ｃのみによる場合よりも、より効率的に空気を流動させることができる。
【００７１】
なお、本発明は以上に述べたような実施形態に限らず種々変更可能である。
【００７２】
着座面４ａ、５ａに沿った方向の空気流動性を持たせるために、外部クッション２９ａ、５７ａに凹部である溝２９ｃ、５７ｃを設ける態様の他に、凸部を設ける態様であってもよい。このようなものであれば、凸部の両側部に形成される空間を空気が通過することにより、空気流動性が発生し得る。さらに、外部クッション２９ａ、５７ａの表面側を覆う張地２９ｂ、５７ｂを立体構造をなすものにして空気流動性を持たせるものであってもよく、このような立体構造をなす張地２９ｂ、５７ｂと溝２９ｃ、５７ｃを設けた外部クッション２９ａ、５７ａとを組み合わせて構成するものであってもよい。
【００７３】
また、複数の溝２９ｃ、５７ｃを交差させて設けるものや、図２１に示すように、さらに外部クッション２９ａ、５７ａの背面側にも溝２９ｃ、５７ｃを設けているもの、及びその背面側に設けられた溝２９ｃ、５７ｃと着座面４ａ、５ａ側に設けられた溝２９ｃ、５７ｃとを連通させる連通路２９ｄ、５７ｄをさらに備えている態様も考えられる。背面側に設けられた溝２９ｃ、５７ｃや連通路２９ｄ、５７ｄの存在により、空気流動性をよりよくすることができる。
【００７４】
上述したような外部クッション２９ａ、５７ａに溝２９ｃ、５７ｃを設ける以外の態様であっても、流体バッグ３１、３３、５９、６１の膨縮に対する変形追従性を得ることができる。すなわち、外部クッション２９ａ、５７ａに凸部や連通路２９ｄ、５７ｄを設けた態様の他種々において、流体バッグ３１、３３、５９、６１の膨張によって外部クッション２９ａ、５７ａが着座面４ａ、５ａ側に押圧された場合に、外部クッション２９ａ、５７ａに設けられたそれらの凸部や連通路２９ｄ、５７ｄが広がるようにして外部クッション２９ａ、５７ａの着座面４ａ、５ａ側が変形し、流体バッグ３１、３３、５９、６１の膨縮に関わらず、着座時のクッション性を維持できるものである。
【００７５】
なお、上述したような外部クッションに設けられた溝の態様は、図１７及び図１８で示した座４の外部クッション２９ａで示した一方方向の平行に設けられた溝を、背凭れ５の外部クッション５７ａに適用するものであってもよく、逆に、図１９ないし図２１で示した背凭れ５の外部クッション５７ａで示した交差して設けられた溝、背面に設けられた溝及び連通路５７ｄを有するものを、座４の外部クッション２９ａに適用するものであっても構わない。
【００７６】
さらに、図１９ないし図２１では溝を一様に配したものを示したが、このようなものに限られず、例えば着座者が長時間触れると思われる着座面４ａの大腿部サポート領域４ｂ及び臀部サポート領域４ｃ、並びに、着座面５ａの背中サポート領域５ｂ及び腰部サポート領域５ｃにおいては溝の密度を増やす等すれば、空気流動性を向上させることができる。逆に、着座者が長時間触れることの少ないサイドサポート領域４ｄ、４ｅ、５ｄ、５ｅにおいては空気流動性を向上させる必要が少ないため、溝の密度を減らす又は溝を設けない態様であってもよい。溝の密度の他に、溝の幅や深さ等調節することにより、座り心地を変化させることができる。
【００７７】
さらに、外部クッションの素材は、クッション性に優れた材質であればモールドウレタンに限られない。
【００７８】
本実施例においては、各流体バッグが着座面に作用する荷重に応じて膨縮する流体室を有し無負荷状態でその流体室が大気中に開放された場合に自己復帰用弾性体の反発力によって外部流体を流入させつつ所期の基準状態に復帰するようにした椅子について説明したが、このような構造のために開閉バルブ及びリリースバルブの両者が必要となる場合のみならず、自己復帰用弾性体の反発力を利用しない通常のポンプを有するものや、開閉バルブのみ有するものに本発明を適用することも可能である。
【００７９】
また、流体は空気に限られず、流路内を流動し得るものであれば、空気以外の気体又は液体であってもよく、さらに、気体、液体の種類についてもなんら限定するものではなく、種々の気体並びに液体を適用することが可能である。
【００８０】
なお、以上の実施形態においては、容量の異なる複数の流体バッグを接続したり、容量に大差はなくても例えば立壁部の有無等によりその形状を異ならせたりすることで、接続されている複数の流体バッグ間等で厚み変化率を異ならせた場合について説明したが、本発明は、このような構成に限られるものではない。しかしながら、この実施形態のように、流体バッグ相互間で厚み変化率を異ならせるようにすれば、例えば、ランバーサポート部のように流体バッグの膨縮の変化を強く感じさせたほうが良い部分には厚み変化率が大きいものを、また、流体バッグの膨縮の変化をあまり実感させなくてもよい部分には厚み変化率が小さいものを配置することができ、椅子全体として快適なホールド感を得ることが可能になる。
【００８１】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００８２】
【図１】本発明の一実施形態を示す全体斜視図。
【図２】同実施形態の背面側を示す全体斜視図。
【図３】同実施形態の分解斜視図。
【図４】同実施形態の座を示す分解斜視図。
【図５】同実施形態における座の外部クッションを下面側から示す斜視図。
【図６】同実施形態における座の部分拡大断面図。
【図７】同実施形態における座の流体バッグを示す底面図。
【図８】図７におけるＸ−Ｘ線断面図。
【図９】同実施形態における座のインナーシェルを下面側から示す分解斜視図。
【図１０】同実施形態の背凭れを示す分解斜視図。
【図１１】同実施形態における背凭れの外部クッションを背面側から示す斜視図。
【図１２】同実施形態における背凭れの部分拡大断面図。
【図１３】同実施形態における背凭れの流体バッグを示す背面図。
【図１４】図１３における一部省略したＹ−Ｙ線断面図。
【図１５】同実施形態における背凭れのインナーシェルを背面側から示す部分拡大斜視図。
【図１６】同実施形態の背凭れのランバーサポート部を示す部分断面図。
【図１７】同実施形態における座の外部クッションを上面側から示す平面図。
【図１８】図１７におけるＡ‐Ａ線端面図。
【図１９】同実施形態における背凭れの外部クッションを着座面側から示す正面図。
【図２０】図１８におけるＢ‐Ｂ線端面図。
【図２１】本発明の他の実施形態を示す図２０対応図。
【符号の説明】
【００８３】
４ａ、５ａ…着座面
２９ａ、５７ａ外部クッション
２９ｂ、５７ｂ…張地
２９ｃ、５７ｃ…溝
２９ｄ、５７ｄ…連通路
３１、３３、５９、６１…流体バッグ
【図１】
2010094307.tif 000003
【図２】
2010094307.tif 000004
【図３】
2010094307.tif 000005
【図４】
2010094307.tif 000006
【図５】
2010094307.tif 000007
【図６】
2010094307.tif 000008
【図７】
2010094307.tif 000009
【図８】
2010094307.tif 000010
【図９】
2010094307.tif 000011
【図１０】
2010094307.tif 000012
【図１１】
2010094307.tif 000013
【図１２】
2010094307.tif 000014
【図１３】
2010094307.tif 000015
【図１４】
2010094307.tif 000016
【図１５】
2010094307.tif 000017
【図１６】
2010094307.tif 000018
【図１７】
2010094307.tif 000019
【図１８】
2010094307.tif 000020
【図１９】
2010094307.tif 000021
【図２０】
2010094307.tif 000022
【図２１】
2010094307.tif 000023